(57)【要約】【課題】定着具のずれを防止して、ＰＣ鋼材にかかる付加応力の偏りを防止できるＰＣ鋼材の定着金具を提供する。【解決手段】一体に形成された円錐台状の基部１１と、この基部の中心部に軸方向に形成されたＰＣ鋼材の把持孔１２と、前記基部１１の小径側端部から太径側に向かって途中まで伸びる部分スリット１３とを具える。分割型ではなく、一体に構成された円錐台状の基部を用いることで、従来問題となっていた分割片の軸方向または周方向へのずれをなくし、ＰＣ鋼材に作用する付加応力の不均一性を解消する。【選択図】　図１
2004011263.tif 000002
【特許請求の範囲】
【請求項１】
一体に形成された円錐台状の基部と、
この基部の中心部に軸方向に形成されたＰＣ鋼材の把持孔と、
前記基部の小径側端部から太径側に向かって途中まで伸びる部分スリットとを具えることを特徴とするＰＣ鋼材の定着金具。
【請求項２】
一体に形成された円錐台状の基部と、
この基部の中心部に軸方向に形成されたＰＣ鋼材の把持孔と、
前記基部の小径側端部から太径側端部につながる連通スリットとを具えることを特徴とするＰＣ鋼材の定着金具。
【請求項３】
前記部分スリットの本数が４〜１２本であることを特徴とする請求項１に記載のＰＣ鋼材の定着金具。
【請求項４】
前記部分スリットの端部に、同スリットの幅よりも大きな開口を有する孔部が形成されていることを特徴とする請求項１に記載のＰＣ鋼材の定着金具。
【請求項５】
さらに、小径側端部から太径側端部につながる連通スリットを具えることを特徴とする請求項１に記載のＰＣ鋼材の定着金具。
【発明の詳細な説明】
【０００１】
【発明の属する技術分野】
本発明は、ＰＣ鋼材を定着する定着金具に関するものである。特に、分割式ではなく一体型の定着金具に関するものである。
【０００２】
【従来の技術】
従来、ＰＣ鋼より線の定着金具として、ウェッジを用いた定着金具が知られている。これは、図５に示すように、ウェッジ２０（くさび）と、テーパー孔３１、４１を持つアンカーディスク３０ないしはメスコーン４０との組み合わせから構成される。
【０００３】
ウェッジ２０は、通常２〜３つの分割片を組み合わせることで一端の径が太く、他端の径が細い円錐台状に形成される。通常、各分割片２１は、外周にはめられたＯリング（図示せず）でばらばらにならないように一体化される。分割片２１を組み合わせた状態において、ウェッジ２０の中心部には軸方向に伸びる円孔が形成される。この円孔内にてＰＣ鋼より線５０がウェッジ２０に把持される。
【０００４】
端部をウェッジ２０で把持したＰＣ鋼より線５０は、ジャッキで所定の緊張力を付与され、ウェッジ２０をアンカーディスク３０またはメスコーン４０のテーパー孔３１，４１にはめ込むことで定着される。アンカーディスク３０またはメスコーン４０は、コンクリート構造物の表面に位置するアンカープレート６０上に配置される。
【０００５】
【発明が解決しようとする課題】
しかし、上記のウェッジでは、各分割片が周方向または軸方向にずれて定着されることがあり、ＰＣ鋼材にかかる付加応力も不均一に作用する場合があるという問題があった。
【０００６】
前述したように、ウェッジは複数の分割片の組み合わせで構成されている。ウェッジは定着後において、▲１▼長手方向に対しては均一に、▲２▼円周方向に対しては均等に配置されることが望ましい。ところが、各分割片は単にＯリングやスプリングリングで結束されているだけであるため、周方向と軸方向に容易にずれを生じ、ずれが生じたまま定着されてしまうことがあった。その結果、ＰＣ鋼材の静的強度や耐疲労性能に影響を及ぼすことがある。
【０００７】
従って、本発明の主目的は、定着具のずれを防止して、ＰＣ鋼材にかかる付加応力の偏りを防止できるＰＣ鋼材の定着金具を提供することにある。
【０００８】
【発明が解決しようとする課題】
本発明は、分割型ではなく、一体型のウェッジを用いることで上記の目的を達成する。
【０００９】
すなわち、本発明ＰＣ鋼材の定着金具の第１の構成は、一体に形成された円錐台状の基部と、この基部の中心部に軸方向に形成されたＰＣ鋼材の把持孔と、前記基部の小径側端部から太径側に向かって途中まで伸びる部分スリットとを具えることを特徴とする。
【００１０】
また、本発明ＰＣ鋼材の定着金具の第２の構成は、一体に形成された円錐台状の基部と、この基部の中心部に軸方向に形成されたＰＣ鋼材の把持孔と、前記基部の小径側端部から太径側端部につながる連通スリットとを具えることを特徴とする。
【００１１】
分割型ではなく、一体に構成された円錐台状のウェッジとすることで、従来問題となっていた分割片の軸方向または周方向へのずれをなくし、ＰＣ鋼材に作用する付加応力の不均一性を解消することができる。
【００１２】
一方、緊張されたＰＣ鋼材を定着するには、ウェッジをアンカーディスクまたはメスコーンにはめ込んだ際、基部自身、特に小径側が縮径してＰＣ鋼材を把持する必要がある。本発明では、基部にスリットを設けることで、この縮径を可能にしている。
【００１３】
スリットには２種類のものが挙げられる。一つは小径側端部から太径側に向かって途中まで伸びる部分スリットで、もう一つは小径側端部から太径側端部にまでつながる連通スリットである。いずれの構成でもウェッジの縮径を可能にして強固にＰＣ鋼材を把持することができる。もちろん、部分スリットと連通スリットの両方を具える構成としても良い。
【００１４】
部分スリットの本数は、少なくとも１本あればよいが、４〜１２本であることが好ましい。４本以上設けることで、縮径代を十分に確保でき、ＰＣ鋼材を確実に把持することができる。特に、周方向に均等に４本以上の部分スリットを配置することで、基部を均一に縮径することができる。実際の部分スリットの最適本数は、ＰＣ鋼材の直径と部分スリットの幅に応じて適宜選択する。
【００１５】
部分スリットの長さは、小径側端部から基部軸方向の半分以上とすることが好適である。あまり短すぎると十分な縮径代を採ることができないからである。
【００１６】
この部分スリットの端部には、同スリットの幅よりも大きな開口を有する孔部を設けることが好適である。特に、円形や楕円形の孔部を形成することが望ましい。このような孔部を形成することで、部分スリットで区切られた小径側に高い変形能を持たせることができ、ＰＣ鋼材を強固に把持することができる。
【００１７】
連通スリットを設けた構成でも、ＰＣ鋼材に対する周方向または軸方向のずれを防止できると共に、ＰＣ鋼材を十分に把持することができる。この連通スリットの本数は１本とする。基部の一体性を損なわないためである。
【００１８】
なお、基部に形成されたＰＣ鋼材の把持孔は、ＰＣ鋼材の外径よりも大きな内径を有する孔とする。
【００１９】
【発明の実施の形態】
以下、本発明の実施の形態を説明する。
（実施例１）
まず、１本の部分スリットを有する定着金具を図１に基づいて説明する。図１は本発明定着金具の斜視図である。
【００２０】
この定着金具１０は、一端が小径側、他端が太径側となった円錐台状の鋼製基部１１を有するウェッジである。この金具の中心部には、軸方向に貫通する把持孔１２が形成され、この把持孔１２にＰＣ鋼材を挿入して把持する。把持孔１２の内面には、強固にＰＣ鋼材を把持できるように、雌ねじ状の凹凸面が形成されている。
【００２１】
ここで、小径側端部から太径側に向かって途中まで伸びる部分スリット１３を設ける。この部分スリット１３は、ＰＣ鋼材を把持した際に、主に小径側が縮径してＰＣ鋼材を把持できるように変形能を付与するためのものである。本例では、基部１１の軸方向距離の約３／４の長さにわたって外周面から把持孔に抜ける部分スリット１３を設けた。また、この部分スリット１３の端部は、部分スリット１３の幅よりも広い開口を有する孔部１４を形成した。本例では、円形の孔部１４としている。孔部１４の形成により、より一層小径側の変形能を高めることができる。
【００２２】
このような定着金具は、図５に示したように、緊張したＰＣ鋼材に装着し、アンカーディスクまたはメスコーンのテーパー孔に挿入することで利用される。基部自身が一体物として構成されているため、部分的に周方向や軸方向にずれが起こると言うことがなく、常に均等にＰＣ鋼材を把持することができる。
【００２３】
（実施例２）
次に、４本の部分スリットを設けた本発明定着金具を図２に基づいて説明する。図２（Ａ）は同金具の斜視図、（Ｂ）は同金具の底面図である。
【００２４】
この金具は、部分スリット１３の本数が４本である点を除いて、実施例１と同様の構成である。また、図１と同一箇所には同一符号を付している。
【００２５】
ここでは、周方向の均等な位置に部分スリット１３を設けた。４本の部分スリット１３を設けることで、実施例１よりもさらに小径側の変形能を高めることができ、強固にＰＣ鋼材を把持することができる。
【００２６】
（実施例３）
次に、連通スリットを設けた本発明金具を図３に基づいて説明する。図３は同スリットの斜視図である。
【００２７】
この金具も、一端が小径側で他端が太径側となった円錐台状の基部１１と、ＰＣ鋼材を把持する把持孔１２を具えている。このような基部１１に、小径側端部から太径側端部につながる１本の連通スリット１５を設ける。すなわち、基部１１の横断面がＣ型となるように形成する。
【００２８】
このような定着金具も、実施例１と同様に、ＰＣ鋼材を把持孔に挿入してアンカーディスクやメスコーンのテーパー孔にはめ込んで利用する。その際、基部自身が一体物として構成されているため、部分的に周方向や軸方向にずれが起こると言うことがない。また、連通スリットの存在により基部を縮径でき、ＰＣ鋼材を強固に把持することができる。
【００２９】
（実施例４）
次に、部分スリットと連通スリットを組み合わせた本発明定着金具を図４に基づいて説明する。図４は同金具の斜視図である。
【００３０】
この定着金具も、一端が小径側で他端が太径側となった円錐台状の基部１１と、ＰＣ鋼材を把持する把持孔を具えている。このような基部に、２本の部分スリットと１本の連通スリットを設ける。各スリットは、基部の周方向に均等に配置されている。
【００３１】
このような定着金具でも、実施例１と同様に、ＰＣ鋼材を把持孔に挿入してアンカーディスクやメスコーンのテーパー孔にはめ込んで利用する。その際、基部自身が一体物として構成されているため、部分的に周方向や軸方向にずれが起こると言うことがない。また、部分スリットと連通スリットの組み合わせにより基部を縮径でき、ＰＣ鋼材を強固に把持することができる。
【００３２】
【発明の効果】
以上説明したように、本発明定着金具によれば、次の効果を奏することができる。
【００３３】
部分スリットおよび連通スリットの少なくとも一方を設けることで、一体型の定着金具とでき、定着金具が部分的に周方向や軸方向にずれるといった問題を解消できる。その結果、定着金具の取り扱いが容易になり、かつＰＣ鋼材に均一な付加荷重を作用させることができる。
【００３４】
部分スリットおよび連通スリットの少なくとも一方を設けることで、一体型でありながら定着金具を縮径することができ、強固にＰＣ鋼材を把持することができる。
【００３５】
本発明定着金具と組み合わせるアンカーディスクやメスコーンは従来と全く同様のものが利用できる。
【図面の簡単な説明】
【図１】１本の部分スリットを設けた本発明金具の斜視図である。
【図２】４本の部分スリットを設けた本発明金具を示し、（Ａ）は斜視図、（Ｂ）は底面図である。
【図３】１本の連通スリットを設けた本発明金具の斜視図である。
【図４】部分スリットと連通スリットを組み合わせた本発明金具の斜視図である。
【図５】（Ａ）はアンカーディスクとウェッジを用いた定着構造の説明図、（Ｂ）はメスコーンとウェッジを用いた定着構造の説明図である。
【符号の説明】
１０　定着金具
１１　基部
１２　把持孔
１３　部分スリット
１４　孔部
１５　連通スリット
２０　ウェッジ
２１　分割片
３０　アンカーディスク
３１　テーパー孔
４０　メスコーン
４１　テーパー孔
５０　ＰＣ鋼より線
６０　アンカープレート
【図１】
2004011263.tif 000003
【図２】
2004011263.tif 000004
【図３】
2004011263.tif 000005
【図４】
2004011263.tif 000006
【図５】
2004011263.tif 000007